(57)【要約】【課題】光ファイバ素線に許容された範囲の光ファイバ曲り部を形成し、その光ファイバ曲り部を把持することにより、確実に光ファイバ素線の保持を可能とした光ファイバ素線保持具を提供する。【解決手段】素線保持部材２と押え蓋３との間に光ファイバ素線Ｐを挟み、光ファイバ素線Ｐを保持する光ファイバ素線保持具である。素線保持部材２と押え蓋３の挟持部位には、光ファイバ曲り形成用凸部７と光ファイバ曲り形成用凸部７に対応した形状を有した光ファイバ曲り形成用凹部８の何れかが形成される。光ファイバ曲り形成用凸部７と光ファイバ曲り形成用凹部８間に光ファイバ素線Ｐを挟み込むことにより、光ファイバ素線Ｐに光ファイバ曲り部ＭＢを形成して、光ファイバ素線Ｐを保持する。【選択図】図１
2007271728.tif 000002
【特許請求の範囲】
【請求項１】
素線保持部材と押え蓋との間に光ファイバ素線を挟み、該光ファイバ素線を保持する光ファイバ素線保持具において、
該素線保持部材と該押え蓋の挟持部位には、光ファイバ曲り形成用凸部と該光ファイバ曲り形成用凸部に対応した形状を有した光ファイバ曲り形成用凹部の何れかが形成され、該光ファイバ曲り形成用凸部と該光ファイバ曲り形成用凹部間に光ファイバ素線を挟み込むことにより、該光ファイバ素線に光ファイバ曲り部を形成して、該光ファイバ素線を保持することを特徴とする光ファイバ素線保持具。
【請求項２】
素線保持部材と押え蓋との間に光ファイバ素線を挟み、該光ファイバ素線を保持する光ファイバ素線保持具において、
該素線保持部材に対しヒンジ部を介して押え蓋が開閉可能に形成されると共に、該押え蓋を該素線保持部材に対し閉鎖して係止するための係止フックと係止部が設けられ、該素線保持部材の挟持部位に溝状の光ファイバ曲り形成用凹部が形成され、該押え蓋の対応位置に該光ファイバ曲り形成用凹部に対応した形状の光ファイバ曲り形成用凸部が形成され、該光ファイバ曲り形成用凸部の先端面と該光ファイバ曲り形成用凹部の底面には、光ファイバ素線に光ファイバ曲り部を形成するための曲線部が該光ファイバ素線の軸方向に沿って形成されていることを特徴とする光ファイバ素線保持具。
【請求項３】
素線保持部材と押え蓋との間に光ファイバ素線を挟み、該光ファイバ素線を保持する光ファイバ素線保持具において、
該素線保持部材に対し該押え蓋が挟持方向及び反挟持方向にスライド可能に嵌合され、該素線保持部材の挟持部位に光ファイバ曲り形成用凸部が形成され、該押え蓋の先端位置に該光ファイバ曲り形成用凸部に対応した形状の光ファイバ曲り形成用凹部が形成され、該光ファイバ曲り形成用凸部の先端面と該光ファイバ曲り形成用凹部の底面に、光ファイバ素線に光ファイバ曲り部を形成するための曲線部が光ファイバ素線の軸方向に沿って形成されていることを特徴とする光ファイバ素線保持具。
【請求項４】
素線保持部材と押え蓋との間に光ファイバ素線を挟み、光ファイバ素線を保持する光ファイバ素線保持具において、
該素線保持部材に対し該押え蓋が枢軸を介して回動可能に且つ挟持部位を閉鎖・開放可能に嵌合され、該素線保持部材の挟持部位に光ファイバ曲り形成用凹部が形成され、該押え蓋の内側に該光ファイバ曲り形成用凹部に対応した形状の光ファイバ曲り形成用凸部が形成され、該光ファイバ曲り形成用凹部の底面と該光ファイバ曲り形成用凸部の先端面に、光ファイバ素線に光ファイバ曲り部を形成するための曲線部が光ファイバ素線の軸方向に沿って形成されていることを特徴とする光ファイバ素線保持具。
【発明の詳細な説明】
【技術分野】
【０００１】
本発明は、光ファイバ素線を屋内に配線する際に使用する光ファイバ素線保持具に関し、特に光ファイバ素線に光ファイバ曲り部を形成して、その光ファイバ曲り部を良好に保持するようにした光ファイバ素線保持具に関する。
【背景技術】
【０００２】
従来、一般に使用されている光ファイバケーブルは、光ファイバ素線と補強用の金属線を共に合成樹脂の厚い被覆層で被覆してケーブル状に形成されており、このような光ファイバケーブルを屋内の壁、柱、梁などに沿って配線する場合、通常、下記特許文献１に記載されるような構造の光ファイバ線保持具が使用されている。この種の従来の光ファイバ保持具は、基本的には、光ファイバケーブルを直線状態で保持する構造であり、配線保持部材上に形成された溝状の保持用凹部内に光ファイバケーブルを直線状態で挿入し、その上に押え蓋部を被せ、押え蓋部の弾性押え部により光ファイバケーブルを押圧して保持するように使用される。
【特許文献１】特開２００３ー２７０４５１号公報
【発明の開示】
【発明が解決しようとする課題】
【０００３】
一方、近年、光ファイバ技術の改良により、強度及び性能共に優れた光ファイバ素線（コアとクラッドを有した光ファイバの外側に薄い被覆層を形成した外径約０．５〜１．２ｍｍの細い素線）が開発されており、この種の光ファイバ素線をそのまま屋内配線として使用することが可能となりつつある。
【０００４】
しかしながら、この種の非常に細い光ファイバ素線を、従来の配線保持具を用いて保持する場合、配線保持部材の保持用凹部に挿入し、その上から押え蓋部の弾性押え部により押圧したとしても、光ファイバ素線の線径があまりに細いために、素線が軸方向に移動しやすく、確実に保持することが難しいという課題があった。
【０００５】
本発明は、上述の課題を解決するものであり、光ファイバ素線に許容された範囲の光ファイバ曲り部を形成し、その光ファイバ曲り部を把持することにより、確実に光ファイバ素線の保持を可能とした光ファイバ素線保持具を提供することを目的とする。
【課題を解決するための手段】
【０００６】
上記課題を解決するために、本発明の請求項１の光ファイバ素線保持具は、素線保持部材と押え蓋との間に光ファイバ素線を挟み、光ファイバ素線を保持する光ファイバ素線保持具において、素線保持部材と押え蓋の挟持部位には、光ファイバ曲り形成用凸部と該光ファイバ曲り形成用凸部に対応した形状を有した光ファイバ曲り形成用凹部の何れかが形成され、該光ファイバ曲り形成用凸部と該光ファイバ曲り形成用凹部間に光ファイバ素線を挟み込むことにより、該光ファイバ素線に光ファイバ曲り部を形成して、該光ファイバ素線を保持することを特徴とする。
【０００７】
ここで、光ファイバ曲り部とは、光ファイバ素線を任意の小曲率半径で曲げたとき、光ファイバ素線の光伝送損失が約０．１ｄＢ以下であって、光伝送性能に悪影響を及ぼさない範囲での曲率の小さい曲げ部分を意味する。
【０００８】
また、請求項２の光ファイバ素線保持具は、素線保持部材と押え蓋との間に光ファイバ素線を挟み、光ファイバ素線を保持する光ファイバ素線保持具において、素線保持部材に対しヒンジ部を介して押え蓋が開閉可能に形成されると共に、押え蓋を素線保持部材に対し閉鎖して係止するための係止フックと係止部が設けられ、素線保持部材の挟持部位に溝状の光ファイバ曲り形成用凹部が形成され、押え蓋の対応位置に該光ファイバ曲り形成用凹部に対応した形状の光ファイバ曲り形成用凸部が形成され、該光ファイバ曲り形成用凸部の先端面と該光ファイバ曲り形成用凹部の底面には、光ファイバ素線に光ファイバ曲り部を形成するための曲線部が光ファイバ素線の軸方向に沿って形成されていることを特徴とする。
【０００９】
また、請求項３の光ファイバ素線保持具は、素線保持部材と押え蓋との間に光ファイバ素線を挟み、光ファイバ素線を保持する光ファイバ素線保持具において、素線保持部材に対し押え蓋が挟持方向及び反挟持方向にスライド可能に嵌合され、素線保持部材の挟持部位に光ファイバ曲り形成用凸部が形成され、該押え蓋の先端位置に該光ファイバ曲り形成用凸部に対応した形状の光ファイバ曲り形成用凹部が形成され、該光ファイバ曲り形成用凸部の先端面と該光ファイバ曲り形成用凹部の底面には、光ファイバ素線に光ファイバ曲り部を形成するための曲線部が光ファイバ素線の軸方向に沿って形成されていることを特徴とする。
【００１０】
また、請求項４の光ファイバ素線保持具は、素線保持部材と押え蓋との間に光ファイバ素線を挟み、光ファイバ素線を保持する光ファイバ素線保持具において、素線保持部材に対し押え蓋が枢軸を介して回動可能に且つ挟持部位を閉鎖・開放可能に嵌合され、素線保持部材の挟持部位に光ファイバ曲り形成用凹部が形成され、該押え蓋の内側に該光ファイバ曲り形成用凹部に対応した形状の光ファイバ曲り形成用凸部が形成され、該光ファイバ曲り形成用凹部の底面と該光ファイバ曲り形成用凸部の先端面に、光ファイバ素線に光ファイバ曲り部を形成するための曲線部が光ファイバ素線の軸方向に沿って形成されていることを特徴とする。
【発明の効果】
【００１１】
上記構成の光ファイバ素線保持具によれば、素線保持部材と押え蓋の挟持部位に光ファイバ曲り形成用凸部と光ファイバ曲り形成用凹部を設け、この光ファイバ曲り形成用凸部と光ファイバ曲り形成用凹部間に光ファイバ素線を挟み込むことにより、光ファイバ素線に光ファイバ曲り部を形成して、光ファイバ素線を把持するから、光ファイバ曲り形成用凹部内に光ファイバ素線を挿入し、押え蓋を閉じるのみの簡単な操作により、光ファイバ素線を把持することができ、これによって、光ファイバ素線の軸方向への移動を阻止して、確実に安定して光ファイバ素線を保持することができる。
【発明を実施するための最良の形態】
【００１２】
以下、本発明の一実施形態を図面に基づいて説明する。図１〜図９は第１実施形態の光ファイバ素線保持具を示している。この光ファイバ素線保持具は、基本的には、素線保持部材２に対しヒンジ部４を介して押え蓋３が開閉可能に形成され、素線保持部材２と押え蓋３との間に光ファイバ素線Ｐを挟み込み、光ファイバ素線Ｐを保持するように構成される。
【００１３】
押え蓋３の端部には押え蓋３を閉鎖して係止するための係止フック５が設けられ、素線保持部材２の端部の対応位置には、係止フック５が係止可能な係止部６が設けられる。素線保持部材２の内側面つまり光ファイバ素線Ｐを通して挟持する挟持部位には、溝状の光ファイバ曲り形成用凹部８が、ヒンジ部４と平行（横方向）に形成されている。
【００１４】
この光ファイバ曲り形成用凹部８は、細い溝形に形成されると共に、図２、図３に示すように、その深さ方向に波形に形成され、波形底面８ａが溝の底部に形成されている。その波形底面８ａの曲線部の曲率半径は、光ファイバ素線Ｐに許容された曲率半径の曲線部、つまり光ファイバ曲り部ＭＢとなるように形成されている。
【００１５】
例えば、フォトニック結晶ファイバを用いた所謂ホーリーファイバのように、コアの周囲のクラッド部に空孔を形成することにより、光ファイバを小さい曲率で曲げた場合でも光伝送損失が増大しない構造の光ファイバを使用した光ファイバ素線の場合、上記のように、光ファイバを例えば半径２．５ｍｍの曲率（光ファイバ曲り）で曲げたときの光伝送損失が０．１ｄＢ以下であり、その曲率の曲線部は、光伝送性能に悪影響を及ぼさない範囲での曲げとすることができる。この場合、光ファイバ曲り形成用凹部８の波形底面８ａの曲線部の曲率半径は、例えば約２．５ｍｍと設定され、その波形底面の曲線部分は、図３ｂに示すように、山、谷、山と３個の曲線部が連続して波形に形成される。
【００１６】
また、この光ファイバ曲り形成用凹部８には、押え蓋３側の光ファイバ曲り形成用凸部７が上から嵌合されるが、光ファイバ曲り形成用凹部８の谷部はその山部より幅広に形成され、光ファイバ曲り形成用凸部７の山部が光ファイバ曲り形成用凹部８の谷部に嵌入しやすくしている。また、光ファイバ曲り形成用凹部８の波形底面８ａには、図３に示すように、非常に小さい小爪８ｂが複数個間隔をおいて突設されている。さらに、素線保持部材２の上面には、光ファイバ曲り形成用凸部７の近傍の４箇所に嵌合凸部２ａが突設され、押え蓋３を閉じたとき、押え蓋３の内側に穿設した４個の嵌合孔３ｃに、これらの嵌合凸部２ａが嵌合して嵌着されるようにしている。
【００１７】
一方、押え蓋３の内側面には、光ファイバ曲り形成用凸部７が、素線保持部材２側の光ファイバ曲り形成用凹部８に対応した位置に、光ファイバ曲り形成用凹部８に嵌入可能に、設けられる。この光ファイバ曲り形成用凸部７は、図１などに示すように、ヒンジ部４と平行に押え蓋３の内側に突設され、図３ａに示すように、光ファイバ曲り形成用凹部８の波形底面８ａに対応した波形先端形状を有し、その波形の先端面には波形溝７ａが形成されている。
【００１８】
この波形先端形状の曲線部分は図３ｂに示すように、下向きの山、谷、山からなる３個の曲線部が連続して形成され、その曲線部は光ファイバ曲り形成用凹部８の波形に対応した形状であり、上記と同様に、光ファイバ曲り形成用凸部７の波形先端形状の曲線部の曲率半径は、例えば約２．５ｍｍに形成され、半径約２．５ｍｍの光ファイバ曲り部を形成する構造となっている。また、押え蓋３の内側の光ファイバ曲り形成用凸部７の近傍には４個の嵌合孔３ｃが設けられている。
【００１９】
上記構成の光ファイバ素線保持具は、その全体つまり素線保持部材２、押え蓋３、ヒンジ部４、係止フック５などが、ポリカーボネート、ポリプロピレンなどの透明合成樹脂により一体成形される。この光ファイバ素線保持具は、透明材料で形成すると共に、非常に小型に形成することにより、室内に装着した場合に、極めて目立たない、違和感のない保持具とすることができる。
【００２０】
素線保持部材２の略中央には、釘、木ねじなどの止め具１０を挿通させるための止め具挿入孔９が形成されており、その挿入孔９に対応した押え蓋３の内側略中央部分には、凹部３ａが止め具１０の頭部を入れるために設けられる。また、押え蓋３における係止フック５の元部近傍には、係止フック５の係止を外す際に使用する角孔３ｂが形成されている。
【００２１】
上記のように構成される光ファイバ素線保持具は、屋内配線用の光ファイバ素線Ｐを、壁面、柱、天井などに沿って敷設する際に使用される。この光ファイバ素線Ｐは、上述の如く、例えばフォトニック結晶ファイバのように、コアの周囲のクラッド部に、結晶格子の整然とならんだ空孔を形成することにより、光ファイバを小さい曲率で曲げて光ファイバ曲り部ＭＢを形成した場合でも、光伝送損失が増大しない構造の光ファイバを有し、その外側に薄い被覆層を形成して例えば約０．５ｍｍ〜１．２ｍｍの外径を持つ光ファイバ素線として形成される。
【００２２】
光ファイバ素線Ｐを敷設する場合、先ず、光ファイバ素線保持具の押え蓋３を開いた状態で、素線保持部材２の止め具挿入孔９に、釘、木ねじなどの止め具１０を挿入し、その止め具１０を壁面などのケーブル敷設位置に打ち付けるなどして固定する。
【００２３】
次に、素線保持部材２の光ファイバ曲り形成用凹部８内に光ファイバ素線Ｐを入れ、その上に押え蓋３を閉じるようにヒンジ部４を介して回動させ、押え蓋３の内側の光ファイバ曲り形成用凸部７を、素線保持部材２の光ファイバ曲り形成用凹部８内に嵌入させる状態として、押え蓋３の係止フック５を素線保持部材２側の係止部６に係止させる。
【００２４】
このとき、光ファイバ曲り形成用凹部８内に光ファイバ素線Ｐは、光ファイバ曲り形成用凸部７の波形溝７ａに保持されながら、溝形状の凹部８内に押し込まれて、凹部８内の波形底面８ａに押し付けられ、これによって、光ファイバ曲り形成用凹部８内の光ファイバ素線Ｐには、波形底面８ａに沿った波形つまり光ファイバ曲り部ＭＢが形成される。この光ファイバ曲り部ＭＢは、上記のように、半径２．５ｍｍの山、谷、山を連続した形状の曲線部分であり、この光ファイバ曲り部ＭＢが素線保持部材２内で形成されることにより、光ファイバ素線Ｐは強力な抜け耐力を持って保持具内で把持されることになる。また、素線保持部材２と押え蓋３は、その内側の嵌合凸部２ａと嵌合孔３ｃの嵌合により位置ずれを生じることなく強固に嵌合され、光ファイバ素線を安定して保持する。
【００２５】
このように、光ファイバ曲り形成用凹部８内に光ファイバ素線Ｐを挿入し、押え蓋３を閉じるのみの簡単な操作により、光ファイバ素線Ｐの軸方向への移動を阻止して確実に安定して光ファイバ素線を保持することができる。また、光ファイバ曲り形成用凹部８の波形底面の曲線部分が、山、谷、山と３個の曲線部が連続して形成されることで、光ファイバ素線Ｐと壁面などとの隙間が無くなり、美観に優れた配線を行なうことができる。
【００２６】
一方、光ファイバ素線Ｐを保持具から外す場合は、押え蓋３の角孔３ｂにドライバ先端などを差し込んで、係止フック５の係止を外し、押え蓋３を開けば、比較的簡単に光ファイバ素線Ｐを保持具から取り外すことができる。
第２実施形態
図１０〜図１６は第２実施形態の光ファイバ素線保持具を示している。この光ファイバ素線保持具は、素線保持部材２２に対し押え蓋２３がスライド可能に嵌合され、素線保持部材２２と押え蓋２３との間に光ファイバ素線Ｐを挟み込み、光ファイバ素線Ｐを保持するように構成される。この光ファイバ素線保持具は、上記と同様に、その素線保持部材２２及び押え蓋２３が、ポリカーボネート、ポリプロピレンなどの透明合成樹脂により成形される。
【００２７】
素線保持部材２２は、図１２、図１３に示すように、上部に光ファイバ曲り形成用凸部２７を設け、その下側に光ファイバ素線Ｐを挿入するための開口部２５を横方向に形成し、開口部２５から下部にかけて摺動保持部２４がその内側に押え蓋２３を上下に摺動可能に保持するように形成される。摺動保持部２４はその内側に板状の押え蓋２３を収容して上下に摺動可能するように形成され、その中央正面側にスリット２６が縦に形成され、スリット２６には押え蓋２３の凸条部２３ｂが挿入され、上下にガイドされて摺動する。また、摺動保持部２４の内側に、嵌合孔２２ａが形成され、押え蓋２３が光ファイバ素線Ｐを保持する位置まで押し上げられたとき、押え蓋２３の嵌合凸部２３ａがこの嵌合孔２２ａに嵌合して押え蓋２３がその位置に保持可能となっている。
【００２８】
押え蓋２３は、図１４に示すように、摺動保持部２４内に嵌め込まれて上下に摺動可能となるように板状に形成され、その上端部には、光ファイバ曲り形成用凹部２８が形成される。また、押え蓋２３の正面には凸条部２３ｂが形成され、素線保持部材２２に正面に形成されたスリット２６に嵌合し上下摺動可能に保持される。また、押え蓋２３の凸条部２３ｂの両側には、押え蓋２３を保持位置で嵌合固定するための凸部２３ａが突設され、この凸部２３ａは押え蓋２３が光ファイバ素線を保持する位置まで押し込まれたとき、素線保持部材２２側の嵌合孔２２ａに嵌合して停止する。
【００２９】
素線保持部材２２の上部には、釘、木ねじなどの止め具を挿入するための止め具挿入孔２９が形成されその孔の下側に、光ファイバ素線Ｐを通して挟持するための光ファイバ曲り形成用凸部２７が、横方向に形成されている。この光ファイバ曲り形成用凸部２７は、その下面に波形面２７ａが山部を下方に向けた形状に形成され、この波形面２７ａに光ファイバ素線Ｐが押え蓋２３によって押し付けられ、保持される。このために、図１４に示すように、押え蓋２３の上端部には光ファイバ曲り形成用凸部２７に対応して波形形状の光ファイバ曲り形成用凹部２８が形成されている。
【００３０】
光ファイバ曲り形成用凹部２８の先端部には、その波形に沿って細い波形溝２８ａが光ファイバ素線Ｐを保持可能に形成されている。その波形溝２８ａが形成される光ファイバ曲り形成用凹部２８の先端部の谷部（曲線部）の曲率半径は、光ファイバ素線Ｐの許容された曲率半径、つまり光ファイバ曲り部ＭＢとなるように形成されている。上述のごとく、フォトニック結晶ファイバを用いた所謂ホーリーファイバに本保持具を使用する場合、約２．５ｍｍの曲率半径までファイバを曲げることが可能であり、そのために、光ファイバ曲り形成用凹部２８の波形曲線部の谷部の曲率半径と、その波形に対応した素線保持部材２２の光ファイバ曲り形成用凸部２７における波形の山部の曲率半径は、約２．５ｍｍに設定される。
【００３１】
上記構成される光ファイバ素線保持具は、屋内配線用の光ファイバ素線Ｐを、壁面、柱、天井などに沿って敷設する際に使用される。ここで適用される光ファイバ素線Ｐは、上記と同様に、フォトニック結晶ファイバを用いた所謂ホーリーファイバである。ホーリーファイバは、曲率半径約２．５ｍｍの光ファイバ曲り部ＭＢを形成した場合でも、光伝送損失が増大しない光ファイバであり、そこに被覆層を形成して、約０．５ｍｍ〜１．２ｍｍの外径を持つ光ファイバ素線Ｐとしている。
【００３２】
光ファイバ素線Ｐを敷設する場合、先ず、図１５、図１６のように、素線保持部材２２の摺動保持部２４内に押え蓋２３を嵌合した状態で、その止め具挿入孔２９に、釘、木ねじなどの止め具１０を挿入し、その止め具１０を壁面などのケーブル敷設位置に打ち付けるなどして固定する。
【００３３】
次に、素線保持部材２２の開口部２５つまり光ファイバ曲り形成用凸部２７の下側に光ファイバ素線Ｐを入れ、押え蓋２３を上方に押して摺動させる。このとき、押え蓋２３の上端の光ファイバ曲り形成用凹部２８が、光ファイバ素線Ｐを、素線保持部材２２側の光ファイバ曲り形成用凸部２７の波形面２７ａに押し付け、素線保持部材２２の摺動保持部２４内の嵌合孔２２ａに押え蓋２３側の嵌合凸部２３ａが嵌入し、押え蓋２３は光ファイバ素線Ｐを押えた状態で、素線保持部材２２に対しロックされる。
【００３４】
このとき、光ファイバ素線Ｐは、光ファイバ曲り形成用凹部２８の波形溝２８ａに押されて光ファイバ曲り形成用凸部２７の波形面２７ａに押し付けられ、これによって、光ファイバ素線Ｐには、波形面２７ａに沿った波形曲線部つまり光ファイバ曲り部ＭＢが形成される。この光ファイバ曲り部ＭＢは、上記のように、曲率半径２．５ｍｍの曲線部分であり、この光ファイバ曲り部ＭＢが素線保持部材２２内で形成されることにより、光ファイバ素線Ｐは充分な抜け耐力を持って保持具内で把持されることになる。また、素線保持部材２２と押え蓋２３は、その内側の嵌合凸部２３ａと嵌合孔２２ａの嵌合により位置ずれを生じることなく堅固に固定され、光ファイバ素線Ｐを安定して保持する。
【００３５】
このように、素線保持部材２２の開口部２５に光ファイバ素線Ｐを挿入し、光ファイバ曲り形成用凹部２８と光ファイバ曲り形成用凸部２７間で光ファイバ素線Ｐを挟み込むという簡単な操作により、光ファイバ素線Ｐの軸方向への移動を阻止して確実に安定して光ファイバ素線を保持することができる。
第３実施形態
図１７〜図２５は第３実施形態の光ファイバ素線保持具を示している。この光ファイバ素線保持具は、素線保持部材３２に対し押え蓋３３が枢軸３４を介して回動可能に嵌合され、押え蓋３３を回動することにより、素線保持部材３２と押え蓋３３との間に光ファイバ素線Ｐを挟み込み、光ファイバ素線Ｐを保持するように構成される。この光ファイバ素線保持具は、上記と同様に、その素線保持部材３２及び押え蓋３３が、ポリカーボネート、ポリプロピレンなどの透明合成樹脂により成形される。
【００３６】
素線保持部材３２は、図１９に示すように、上部に軸孔３５が形成され、軸孔３５に下側に止め具挿入孔３９が形成され、さらに、その下部に、光ファイバ素線Ｐを挿入するために、溝状の光ファイバ曲り形成用凹部３８が形成されている。軸孔３５は、押え蓋３３の枢軸３４を回動可能に嵌合するように内周部に段差を付けて形成される。
【００３７】
素線保持部材３２の正面下部に形成される、光ファイバ素線Ｐを挿入するための光ファイバ曲り形成用凹部３８は、横方向に且つ溝状に形成され、溝状の光ファイバ曲り形成用凹部３８内には、その中央部を谷部とする形態の波形底面３８ａが形成されている。この光ファイバ曲り形成用凹部３８内に挿入された光ファイバ素線Ｐは、素線保持部材３２上の押え蓋３３を回動して閉じ、これによって、その波形底面３８ａに沿って押し付けられ保持される。
【００３８】
このために、押え蓋３３の下部には、光ファイバ曲り形成用凹部３８に嵌合する光ファイバ曲り形成用凸部３７が形成される。押え蓋３３は、図２１に示すように、素線保持部材３２と同様な正面形状を持って形成され、その上部内側に枢軸３４が突設される。枢軸３４は素線保持部材３２の軸孔３５に回動可能に嵌着されるように、段差をつけて先端部を大径とする形態に形成され、枢軸３４を軸孔３５に嵌合させた押え蓋３３は、素線保持部材３２に対し図２３のように開放した重ね合わせ状態から、図１７のような閉鎖した重ね合わせ状態まで適度な摩擦抵抗をもって回動可能である。
【００３９】
押え蓋３３の内側下部には、図１７のように、素線保持部材３２の上に完全に重ね合わせた状態で、その光ファイバ曲り形成用凹部３８に嵌合する光ファイバ曲り形成用凸部３７が形成される。光ファイバ曲り形成用凸部３７は、図２１に示すように、光ファイバ曲り形成用凹部３８中央谷部の波形底面３８ａに対応した形状、つまり下向きの山形曲線部として形成されている。押え蓋３３の外側（正面）には、凸状取手３６が突設されている。
【００４０】
光ファイバ曲り形成用凹部３８の波形底面３８ａと光ファイバ曲り形成用凸部３７の山部の曲率半径は、上記と同様、光ファイバ素線Ｐに許容された曲線部分の曲率半径、つまり光ファイバ曲り部ＭＢとなるように形成されている。上述のように、フォトニック結晶ファイバを用いた所謂ホーリーファイバに本保持具を使用する場合、約２．５ｍｍの曲率半径までファイバを曲げることが可能であり、そのために、光ファイバ曲り形成用凹部３８の波形底面の谷形曲線部の曲率半径と、その波形曲線部に対応した押え蓋３３の光ファイバ曲り形成用凸部３７の山形曲線部の曲率半径は、約２．５ｍｍに設定される。
【００４１】
上記構成の光ファイバ素線保持具は、屋内配線用の光ファイバ素線Ｐを、壁面、柱、天井などに沿って敷設する際に使用される。ここで適用される光ファイバ素線Ｐは、上記と同様に、フォトニック結晶ファイバを用いた所謂ホーリーファイバであり、曲率半径を約２．５ｍｍとする光ファイバ曲り部ＭＢを形成した場合でも、光伝送損失が増大しない光ファイバが使用され、被覆層を設けて約０．５ｍｍ〜１．２ｍｍの外径を持つ光ファイバ素線Ｐとなっている。
【００４２】
光ファイバ素線Ｐを敷設する場合、先ず、素線保持部材３２上の押え蓋３３を９０°以上回動して、光ファイバ曲り形成用凹部３８を開いた状態で、素線保持部材３２の止め具挿入孔３９に、釘、木ねじなどの止め具１０を挿入し、その止め具１０を壁面などのケーブル敷設位置に打ち付けるなどして固定する。
【００４３】
次に、図２３のように、素線保持部材３２の光ファイバ曲り形成用凹部３８内に光ファイバ素線Ｐを入れ、押え蓋３３を素線保持部材３２に合わせて閉じるように回動させる。このとき、押え蓋３３の内側の光ファイバ曲り形成用凸部３７が、光ファイバ素線Ｐを、素線保持部材３２の光ファイバ曲り形成用凹部３８の波形底面３８ａに押し付け、押え蓋３３は光ファイバ素線Ｐを押えた状態で、素線保持部材３２に対しロックされる。
【００４４】
このとき、光ファイバ素線Ｐは、図２４、図２５のように、光ファイバ曲り形成用凸部３７の山部に押されて光ファイバ曲り形成用凹部３８の波形底面３８ａに押し付けられ、これによって、光ファイバ素線Ｐには、波形底面に沿った波形の曲線部つまり光ファイバ曲り部ＭＢが形成される。この光ファイバ曲り部ＭＢは、上記のように、曲率半径約２．５ｍｍの曲線部分であり、この光ファイバ曲り部ＭＢが素線保持部材３２と押え蓋３３間で挟持されることにより、光ファイバ素線Ｐは充分な抜け耐力を持って保持具内で把持される。また、素線保持部材３２と押え蓋３３は、位置ずれを生じることなく嵌着され、光ファイバ素線は安定して保持される。
【００４５】
このように、素線保持部材３２の光ファイバ曲り形成用凹部３８に光ファイバ素線Ｐを挿入し、押え蓋３３の光ファイバ曲り形成用凸部３７を閉じるように回動させて光ファイバ素線Ｐを挟み込み、素線に光ファイバ曲り部ＭＢを形成するという簡単な操作により、光ファイバ素線Ｐの軸方向への移動を阻止して確実に安定して光ファイバ素線を保持することができる。
【図面の簡単な説明】
【００４６】
【図１】本発明の第１実施形態の光ファイバ素線保持具の開放状態の正面図（ａ）と背面図（ｂ）である。
【図２】同光ファイバ素線保持具の平面図（ａ）と底面図（ｂ）である。
【図３】図１のIIIａーIIIａ断面図（ａ）とIIIｂーIIIｂ断面図（ｂ）である。
【図４】光ファイバ素線保持具の開放状態の右側面図である。
【図５】同開放状態の光ファイバ素線保持具の断面図である。
【図６】押え蓋を閉鎖した状態の右側面図である。
【図７】使用状態における押え蓋を閉鎖する際の右側面図である。
【図８】使用状態における押え蓋を閉鎖する際の断面図である。
【図９】光ファイバ素線保持具の使用状態を示す断面図である。
【図１０】第２実施形態の光ファイバ素線保持具の正面図である。
【図１１】同光ファイバ素線保持具の右側面図（ａ）と底面図（ｂ）である。
【図１２】素線保持部材２２の正面図（ａ）と背面図（ｂ）である。
【図１３】同素線保持部材２２の右側面図（ａ）、断面図（ｂ）及び底面図（ｃ）である。
【図１４】押え蓋２３の正面図（ａ）、右側面図（ｂ）、断面図（ｃ）、平面図（ｄ）及び底面図（ｅ）である。
【図１５】光ファイバ素線保持具の使用状態を示す正面図である。
【図１６】光ファイバ素線保持具の使用状態を示す断面図である。
【図１７】第３実施形態の光ファイバ素線保持具の正面図である。
【図１８】同光ファイバ素線保持具の右側面図である。
【図１９】素線保持部材３２の正面図（ａ）と背面図（ｂ）である。
【図２０】同素線保持部材３２の右側面図（ａ）、断面図（ｂ）及び底面図（ｃ）である。
【図２１】押え蓋３３の正面図（ａ）と背面図（ｂ）である。
【図２２】押え蓋３３の右側面図（ａ）、断面図（ｂ）、底面図（ｃ）である。
【図２３】光ファイバ素線保持具の使用状態を示す正面図である。
【図２４】光ファイバ素線保持具の使用状態を示す断面図である。
【図２５】光ファイバ素線保持具の使用状態を示す断面図である。
【符号の説明】
【００４７】
２  素線保持部材
３  押え蓋
４  ヒンジ部
７  光ファイバ曲り形成用凸部
７ａ  波形溝
８  光ファイバ曲り形成用凹部
８ａ  波形底面
９  止め具挿入孔
Ｐ  光ファイバ素線
ＭＢ  光ファイバ曲り部
【図１】
2007271728.tif 000003
【図２】
2007271728.tif 000004
【図３】
2007271728.tif 000005
【図４】
2007271728.tif 000006
【図５】
2007271728.tif 000007
【図６】
2007271728.tif 000008
【図７】
2007271728.tif 000009
【図８】
2007271728.tif 000010
【図９】
2007271728.tif 000011
【図１０】
2007271728.tif 000012
【図１１】
2007271728.tif 000013
【図１２】
2007271728.tif 000014
【図１３】
2007271728.tif 000015
【図１４】
2007271728.tif 000016
【図１５】
2007271728.tif 000017
【図１６】
2007271728.tif 000018
【図１７】
2007271728.tif 000019
【図１８】
2007271728.tif 000020
【図１９】
2007271728.tif 000021
【図２０】
2007271728.tif 000022
【図２１】
2007271728.tif 000023
【図２２】
2007271728.tif 000024
【図２３】
2007271728.tif 000025
【図２４】
2007271728.tif 000026
【図２５】
2007271728.tif 000027